(57)【要約】      （修正有）【課題】異なる無線局によって運用される複数セルを同時に使用している無線端末がセカンダリセルを他の無線局のセルに変更する場合に、変更前のセカンダリセルにおける通信サービスをセカンダリセル変更後にも継続にする。【解決手段】第１の無線局１は、セカンダリセルを運用する無線局を介したデータ通信に用いられるセカンダリベアラのセカンダリセル２０における再確立を開始する。さらに、第１の無線局１は、コアネットワーク５と無線端末４との間のデータ通信に用いられるネットワークベアラが確立されている際にセカンダリセルを運用する無線局を第２の無線局２から第３の無線局３へ変更する要求をコアネットワーク５に送信する。ここで、ネットワークベアラは、無線端末４のセカンダリセルにおいて確立されるセカンダリベアラに対応する。【選択図】図１
2019097184.tif 000002
【特許請求の範囲】
【請求項１】
第１のセルを運用するよう構成される第１の無線局であって、
前記第１のセルをプライマリセルとして使用し、第２の無線局により運用される第２のセル又は第３の無線局により運用される第３のセルをセカンダリセルとして使用するデュアルコネクティビティを行うよう構成される無線端末と通信する通信手段と、
前記セカンダリセルを運用する無線局を介したデータ通信に用いられるセカンダリベアラの、前記無線端末の前記セカンダリセルにおける再確立を開始する制御手段と、
コアネットワークと前記無線端末との間のデータ通信に用いられる前記無線端末のネットワークベアラが確立されている際に前記セカンダリセルを運用する無線局を前記第２の無線局から前記第３の無線局へ変更する要求を前記コアネットワークに送信する送信手段と、を備え、
前記ネットワークベアラは、前記無線端末の前記セカンダリセルにおいて確立されるセカンダリベアラに対応する、第１の無線局。
【請求項２】
前記要求は、前記コアネットワークの移動管理装置（MME）へ送信され、
前記第１の無線局は、前記MMEから前記要求の応答を受け取る受信手段を備える、請求項１に記載の第１の無線局。
【請求項３】
第１の無線局が運用する第１のセルをプライマリセルとして使用し、第２の無線局が運用する第２のセル又は第３の無線局が運用する第３のセルをセカンダリセルとして使用するデュアルコネクティビティを行うよう構成される無線端末のために、少なくとも前記第１の無線局と通信するコアネットワークであって、
前記セカンダリセルを運用する無線局を介する、前記コアネットワークと前記無線端末との間のデータ通信に用いられるネットワークベアラを再確立する再確立手段と、
前記無線端末の前記ネットワークベアラが確立されている際に、前記セカンダリセルを運用する無線局を前記第２の無線局から前記第３の無線局へ変更する要求を前記第１の無線局から受信する受信手段と、
前記無線端末の前記ネットワークベアラが確立されている際に、前記要求に従って、前記セカンダリセルを運用する無線局を前記第２の無線局から前記第３の無線局へ変更する制御手段と、を備え、
前記ネットワークベアラは、前記無線端末の前記セカンダリセルにおいて確立されるセカンダリベアラに対応する、コアネットワーク。
【請求項４】
前記コアネットワークは、少なくとも移動管理装置（MME）の機能を有する、請求項３に記載のコアネットワーク。
【請求項５】
第１のセルを運用するよう構成される第１の無線局と、
少なくとも前記第１の無線局と通信するよう構成されるコアネットワークと、を備え、
前記第１の無線局は、
前記第１のセルをプライマリセルとして使用し、第２の無線局により運用される第２のセル又は第３の無線局により運用される第３のセルをセカンダリセルとして使用するデュアルコネクティビティを行うよう構成される無線端末と通信し、
前記セカンダリセルを運用する無線局を介したデータ通信に用いられるセカンダリベアラの、前記無線端末の前記セカンダリセルにおける再確立を開始し、
前記コアネットワークと前記無線端末との間のデータ通信に用いられる前記無線端末のネットワークベアラが確立されている際に前記セカンダリセルを運用する無線局を前記第２の無線局から前記第３の無線局へ変更する要求を前記コアネットワークに送信する、よう構成され、
前記コアネットワークは、
前記無線端末の前記ネットワークベアラが確立されている際に、前記セカンダリセルを運用する無線局を前記第２の無線局から前記第３の無線局へ変更する要求を前記第１の無線局から受信し、
前記無線端末の前記ネットワークベアラが確立されている際に、前記要求に従って、前記セカンダリセルを運用する無線局を前記第２の無線局から前記第３の無線局へ変更する、よう構成され、
前記ネットワークベアラは、前記無線端末の前記セカンダリセルにおいて確立されるセカンダリベアラに対応する、無線通信システム。
【請求項６】
第１のセルを運用する第１の無線局における方法であって、
前記第１のセルをプライマリセルとして使用し、第２の無線局により運用される第２のセル又は第３の無線局により運用される第３のセルをセカンダリセルとして使用するデュアルコネクティビティを行うよう構成される無線端末と通信し、
前記セカンダリセルを運用する無線局を介したデータ通信に用いられるセカンダリベアラの、前記無線端末の前記セカンダリセルにおける再確立を開始し、
コアネットワークと前記無線端末との間のデータ通信に用いられる前記無線端末のネットワークベアラが確立されている際に前記セカンダリセルを運用する無線局を前記第２の無線局から前記第３の無線局へ変更する要求を前記コアネットワークに送信し、
前記ネットワークベアラは、前記無線端末の前記セカンダリセルにおいて確立されるセカンダリベアラに対応する、方法。
【請求項７】
前記要求は、前記コアネットワークの移動管理装置（MME）へ送信され、
前記MMEから前記要求の応答を受け取る、請求項６に記載の方法。
【請求項８】
第１の無線局が運用する第１のセルをプライマリセルとして使用し、第２の無線局が運用する第２のセル又は第３の無線局が運用する第３のセルをセカンダリセルとして使用するデュアルコネクティビティを行うよう構成される無線端末のために、少なくとも前記第１の無線局と通信するコアネットワークにおける方法であって、
前記セカンダリセルを運用する無線局を介する、前記コアネットワークと前記無線端末との間のデータ通信に用いられるネットワークベアラを再確立し、
前記無線端末の前記ネットワークベアラが確立されている際に、前記セカンダリセルを運用する無線局を前記第２の無線局から前記第３の無線局へ変更する要求を前記第１の無線局から受信し、
前記無線端末の前記ネットワークベアラが確立されている際に、前記要求に従って、前記セカンダリセルを運用する無線局を前記第２の無線局から前記第３の無線局へ変更し、
前記ネットワークベアラは、前記無線端末の前記セカンダリセルにおいて確立されるセカンダリベアラに対応する、方法。
【請求項９】
前記コアネットワークは少なくとも移動管理装置（MME）の機能を有する、請求項８に記載の方法。
【発明の詳細な説明】
【技術分野】
【０００１】
本発明は、無線局と無線端末が複数のセルを利用して通信を行う無線通信システムに関する。
【背景技術】
【０００２】
近年のモバイルトラフィックの急激な増大による通信品質の低下の改善、及びさらなる高速通信の実現のため、3GPP LTE（Long Term Evolution）では無線基地局（eNode B: eNB）と無線端末（User Equipment: UE）が複数のセルを使用して通信を行うキャリアアグリゲーション（Carrier Aggregation: CA）機能の仕様化が行われている。なお、UEがCAで使用可能なセルは、１つのeNBのセル（つまり、eNBが運用するセル）に限定される。
【０００３】
UEが使用するセルはCAを開始する時点でサービングセルとして使用しているプライマリセル（Primary cell: PCell）と、追加的に又は従属的に使用するセカンダリセル（Secondary cell: SCell）に分類される。PCellでは、無線接続の（再）確立（RRC Connection Establishment, RRC Connection Re-establishment）の際に、NASモビリティ情報（Non Access Stratum mobility information）及びセキュリティ情報（security input）等が送受信される（非特許文献１を参照）。PCellに対応するDL CarrierがDL PCC (Primary Component Carrier)であり、UL CarrierがUL PCCである。同様に、SCellに対応するDL CarrierがDL SCC(Secondary Component Carrier)であり、UL CarrierがUL SCCである。
【０００４】
CAにおいてUEがSCellを使用可能にするためにeNBは、SCellの候補となるセルの設定情報（SCell configuration）をUEに通知し、UEに実際に使用させるセルを有効化（activation）する。SCellの追加（addition）・削除（release）、及び有効化（activation）・無効化（deactivation）の手順について図１７を用いて説明する。
【０００５】
ステップＳ１では、UEは、NBのCell1でRRC接続確立を実行する（RRC connection establishment）。Cell1は、PCellである。ステップＳ２では、eNBは、SCellとして追加するセル（ここではCell2及び3）のリストを含む設定情報をUEに送信する（RRC Connection Reconfiguration including SCell addition list）。ステップＳ３では、UEは、Cell2及び3をSCellとして追加する（SCell=Cell2,3 addition）。この時点ではUEはCell2及び3でデータ送受信を行えない。ステップＳ４では、eNBは、Cell2をSCellとして有効化する指示を送信する（SCell=Cell2 Activation Control）。ステップＳ５では、UEは、Cell2を有効化する（SCell=Cell2 activation）。これにより、ステップＳ６では、UE及びeNBは、Cell1及びCell2を使用してデータ送受信を行う（Carrier Aggregation on Cell1 and CELL2）。
【０００６】
ある時点で（ステップＳ７）、eNBは、Cell2の代わりにCell3をSCellとして使用することを決定し、Cell2を無効化する指示とCell3を有効化する指示をUEに送信する（SCell=Cell2 Deactivation Control and SCell=Cell3 Activation Control）。ステップＳ８及びＳ９では、UEは、Cell2を無効化し（SCell=Cell2 deactivation）、Cell3を有効化する（SCell=Cell3 activation）。これにより、ステップＳ１０では、UE及びeNBは、Cell1及びCell3を使用してデータ送受信を行う（Carrier Aggregation on Cell1 and Cell3）。
【０００７】
ある時点で（ステップＳ１１）、eNBは、Carrier Aggregationが不要と判断し、SCellを削除する指示をUEに送信する（RRC Connection Reconfiguration including SCell release list）。ステップＳ１２では、UEは、Cell2及び3をSCellから削除する（SCell=Cell2,3 release）。
【０００８】
また、異なるeNBによって運用される複数のセルを統合するInter-eNB CAのコンセプトが提案されている（非特許文献３）。例えば、Inter-eNB CAでは、マクロ基地局（Macro eNB: MeNB）により運用されるマクロセル（Macro cell）とピコ基地局（Pico eNB: PeNB）によって運用されるピコセル（Pico cell）を使用することが考えられている。
【０００９】
さらに、カバレッジの広いマクロセルをUEの移動管理などの制御系の信号の送受信に用い、相対的に通信品質が良好なピコセルをユーザーデータなどのデータ系の信号の送受信に用いる方法（いわゆるC/U Split）も提案されている（非特許文献４）。
【先行技術文献】
【非特許文献】
【００１０】
【非特許文献１】3GPP TS 36.300 V11.3.0, " Evolved Universal Terrestrial Radio Access (E-UTRA) and Evolved Universal Terrestrial Radio Access Network (E-UTRAN); Overall description; Stage 2", Section 7.5, September 2012
【非特許文献２】3GPP TS 36.331 V11.1.0, "Evolved Universal Terrestrial Radio Access (E-UTRA); Radio Resource Control (RRC); Protocol specification", Section 5.3.5.4, September 2012
【非特許文献３】3GPP RWS-120046, Samsung Electronics, "Technologies for Rel-12 and Onwards", 3GPP TSG RAN Workshop on Rel-12 and Onwards Ljubljana, Slovenia, 11-12 June 2012
【非特許文献４】3GPP RWS-120010, NTT DOCOMO, "Requirements, Candidate Solutions & Technology Roadmap for LTE Rel-12 Onward", 3GPP TSG RAN Workshop on Rel-12 and Onwards Ljubljana, Slovenia, 11-12 June 2012
【発明の概要】
【発明が解決しようとする課題】
【００１１】
Inter-eNB CAでは、例えば、マクロ基地局（Macro eNB: MeNB）のセルをPCell、低電力基地局（Low Power Node: LPN）のセルをSCellとして同時に使用することが考えられる。この場合、PCell及びSCellのそれぞれにおいて独立にベアラが設定される。UEは、PCellのベアラを介してMeNBと通信し、SCellのベアラを介してLPNと通信する。
【００１２】
本件発明者等は、inter-eNB CAを実行している無線端末（UE）がセル間を移動する際の通信サービスの継続性について様々な検討を行い、幾つかの課題を見出した。例えば、MeNBのセルをPCellとし且つ第１のLPNのセルをSCellとしてinter-eNB CAを実行しているUEが、他の第２のLPNのセルにSCellを変更する場合を考える。このSCellの変更に通常のCA（つまり、intra-eNB CA）におけるSCell変更手順（図１７）を適用すると、UEは第１のLPNのセルの情報を全て解放（release）し、第２のLPNのセルの情報を新たに設定しなければならない。したがって、第１のLPNのセルにおいて通信していたサービスがSCell変更後に第２のLPNのセルにおいて継続されないという問題が生じる。
【００１３】
従って、本件発明の目的の１つは、異なる無線局によって運用される複数セルを同時に使用している無線端末がセカンダリセルを他の無線局のセルに変更する場合に、変更前のセカンダリセルにおける通信サービスをセカンダリセル変更後にも継続することが可能な無線通信システム、無線局、無線端末、通信制御方法、及びプログラムを提供することである。
【課題を解決するための手段】
【００１４】
第１の態様では、無線通信システムは、第１〜第３の無線局を含む無線ネットワーク、及び無線端末を含む。前記第１〜第３の無線局は、第１〜第３のセルをそれぞれ運用する。前記無線端末は、１つの無線局のセルをプライマリセルとして使用している間に他の無線局のセルをセカンダリセルとして使用する機能を有する。さらに、前記無線ネットワーク及び前記無線端末は、前記無線端末が前記第１のセルを前記プライマリセルとして使用し且つ前記第２のセルを前記セカンダリセルとして使用している間に、前記第２のセルにおける前記無線端末に関する通信状況情報を保持しつつ前記セカンダリセルを前記第２のセルから前記第３のセルに変更するよう構成されている。
【００１５】
第２の態様では、第１の無線局は、第１のセルを運用する無線通信部、及び通信制御部を含む。前記通信制御部は、無線端末が前記第１のセルをプライマリセルとして使用し且つ第２の無線局により運用される第２のセルをセカンダリセルとして使用している間に前記セカンダリセルを第３の無線局により運用される第３のセルに変更する際に、（ａ）前記第２のセルにおける前記無線端末とのデータ通信の中止の要求と、（ｂ）前記第２のセルにおける前記無線端末に関する通信状況情報の受信又は送信、の少なくとも一方を行うよう構成されている。
【００１６】
第３の態様では、第２の無線局は、第２のセルを運用する無線通信部、及び通信制御部を含む。前記通信制御部は、無線端末が第１の無線局によって運用される第１のセルをプライマリセルとして使用し且つ前記第２のセルをセカンダリセルとして使用している間に前記セカンダリセルを第３の無線局により運用される第３のセルに変更する際に、（ａ）前記第２のセルにおける前記無線端末とのデータ通信の中止の要求と、（ｂ）前記第２のセルにおける前記無線端末に関する通信状況情報の送信の要求、の少なくとも一方を受信し、前記データ通信の中止と前記通信状況情報の送信の少なくとも一方を行うよう構成されている。
【００１７】
第４の態様では、第３の無線局は、第３のセルを運用する無線通信部、及び通信制御部を含む。前記通信制御部は、無線端末が第１の無線局により運用される第１のセルをプライマリセルとして使用し且つ第２の無線局により運用される第２のセルをセカンダリセルとして使用している間に前記セカンダリセルを前記第３のセルに変更する際に、前記第２のセルにおける前記無線端末に関する通信状況情報を前記第１の無線局又は前記第２の無線局から受信するよう構成されている。
【００１８】
第５の態様では、無線端末は、第１〜第３の無線局と通信可能な無線通信部、及び通信制御部を含む。前記通信制御部は、前記第１の無線局により運用される第１のセルをプライマリセルとして使用している間に前記第２の無線局により運用される第２のセルをセカンダリセルとして使用する制御を行うよう構成されている。さらに、前記通信制御部は、前記第１のセルを前記プライマリセルとして使用し且つ前記第２のセルを前記セカンダリセルとして使用している間に、前記第２のセルにおける通信状況情報を保持しつつ前記セカンダリセルを前記第２のセルから前記第３の無線局により運用される第３のセルに変更するよう構成されている。
【００１９】
第６の態様では、第１のセルを運用する第１の無線局における通信制御方法は、無線端末が前記第１のセルをプライマリセルとして使用し且つ第２の無線局により運用される第２のセルをセカンダリセルとして使用している間に前記セカンダリセルを第３の無線局により運用される第３のセルに変更する際に、（ａ）前記第２のセルにおける前記無線端末とのデータ通信の中止の要求と、（ｂ）前記第２のセルにおける前記無線端末に関する通信状況情報の受信又は送信、の少なくとも一方を行うことを含む。
【００２０】
第７の態様では、第２のセルを運用する第２の無線局における通信制御方法は、無線端末が第１の無線局によって運用される第１のセルをプライマリセルとして使用し且つ前記第２のセルをセカンダリセルとして使用している間に前記セカンダリセルを第３の無線局により運用される第３のセルに変更する際に、（ａ）前記第２のセルにおける前記無線端末とのデータ通信の中止の要求と、（ｂ）前記第２のセルにおける前記無線端末に関する通信状況情報の送信の要求、の少なくとも一方を受信し、前記データ通信の中止と前記通信状況情報の送信の少なくとも一方を行うことを含む。
【００２１】
第８の態様では、第３のセルを運用する第３の無線局における通信制御方法は、無線端末が第１の無線局により運用される第１のセルをプライマリセルとして使用し且つ第２の無線局により運用される第２のセルをセカンダリセルとして使用している間に前記セカンダリセルを前記第３のセルに変更する際に、前記第２のセルにおける前記無線端末に関する通信状況情報を前記第１の無線局又は前記第２の無線局から受信することを含む。
【００２２】
第９の態様では、無線端末における通信制御方法は、
（ａ）第１の無線局により運用される第１のセルをプライマリセルとして使用している間に第２の無線局により運用される第２のセルをセカンダリセルとして使用すること、及び
（ｂ）前記第１のセルを前記プライマリセルとして使用し且つ前記第２のセルを前記セカンダリセルとして使用している間に、前記第２のセルにおける通信状況情報を保持しつつ前記セカンダリセルを前記第２のセルから第３の無線局により運用される第３のセルに変更すること、
を含む。
【００２３】
第１０の態様では、プログラムは、上述した第６の態様に係る通信制御方法をコンピュータに行わせるための命令群を含む。
【００２４】
第１１の態様では、プログラムは、上述した第７の態様に係る通信制御方法をコンピュータに行わせるための命令群を含む。
【００２５】
第１２の態様では、プログラムは、上述した第８の態様に係る通信制御方法をコンピュータに行わせるための命令群を含む。
【００２６】
第１３の態様では、プログラムは、上述した第９の態様に係る通信制御方法をコンピュータに行わせるための命令群を含む。
【発明の効果】
【００２７】
上述した態様によれば、異なる無線局によって運用される複数セルを同時に使用している無線端末がセカンダリセルを他の無線局のセルに変更する場合に、変更前のセカンダリセルにおける通信サービスをセカンダリセル変更後にも継続することが可能な無線通信システム、無線局、無線端末、通信制御方法、及びプログラムを提供できる。
【図面の簡単な説明】
【００２８】
【図１】第１の実施形態に係る無線通信システムの構成例を示す図である。
【図２】第１の実施形態に係る第１の無線局の構成例を示す図である。
【図３】第１の実施形態に係る第２の無線局の構成例を示す図である。
【図４】第１の実施形態に係る第３の無線局の構成例を示す図である。
【図５】第１の実施形態に係る無線端末の構成例を示す図である。
【図６】第１の実施形態に係る無線端末の動作例を示すフローチャートである（手順例１）。
【図７】第１の実施の形態に係る無線ネットワークの動作例を示すフローチャートである（手順例１）。
【図８】第１の実施の形態に係る無線通信システムにおける通信制御方法の一例を示すシーケンス図である（手順例１）。
【図９】第１の実施形態に係る無線端末の動作例を示すフローチャートである（手順例２）。
【図１０】第１の実施の形態に係る第１の無線局の動作例を示すフローチャートである（手順例２）。
【図１１】第１の実施の形態に係る第２の無線局の動作例を示すフローチャートである（手順例２）。
【図１２】第１の実施の形態に係る第３の無線局の動作例を示すフローチャートである（手順例２）。
【図１３】第１の実施の形態に係る無線通信システムにおける通信制御方法の一例を示すシーケンス図である（手順例２）。
【図１４】第２の実施の形態に係る無線通信システムにおける通信制御方法の一例を示すシーケンス図である（手順例３）。
【図１５】第２の実施の形態に係る無線通信システムにおける通信制御方法の一例を示すシーケンス図である（手順例４）。
【図１６】第２の実施の形態に係る無線通信システムにおける通信制御方法の一例を示すシーケンス図である（手順例５）。
【図１７】ＬＴＥのキャリアアグリゲーションにおけるセカンダリセルの変更手順を示すシーケンス図である（背景技術）。
【発明を実施するための形態】
【００２９】
以下では、具体的な実施形態について、図面を参照しながら詳細に説明する。各図面において、同一又は対応する要素には同一の符号が付されており、説明の明確化のため、必要に応じて重複説明は省略される。
【００３０】
＜第１の実施形態＞
図１は、本実施形態に係る無線通信システムの構成例を示している。本実施形態に係る無線通信システムは、無線ネットワーク６、及び無線端末４を含む。無線ネットワーク６は、第１の無線局１、第２の無線局２、第３の無線局３、及び無線局１〜３に接続されたコアネットワーク５を含む。無線局１、２、及び３は、第１のセル１０、第２のセル２０、及び第３のセル３０をそれぞれ運用する。無線局１〜３は、例えば、無線基地局、又は基地局制御局である。無線端末４は、１つの無線局のセルをプライマリセル（Primary Cell: PCell）として使用している間に他の無線局のセルをセカンダリセル（Secondary Cell: SCell）として使用する機能を有する。言い換えると、無線端末４は、異なる無線局によって運用される複数のセルのキャリアアグリゲーションをサポートする。プライマリセル（PCell）は、キャリアアグリゲーションを開始する時点で無線端末４のサービングセルとして使用されているセルである。セカンダリセル（SCell）は、キャリアアグリゲーションのために無線端末４において追加的に又は従属的に使用されるセルである。
【００３１】
例えば、無線端末４は、第１のセル１０における第１の無線接続を維持したまま、第２のセル２０における第２の無線接続を確立することができ、第１のセル１０をプライマリセル（PCell）として使用し且つ第２のセル２０をセカンダリセル（SCell）として使用することができる。これにより、無線端末４は、信号（例えば、ユーザーデータ又は制御情報）の送信又は受信のために複数のセル（例えば、セル１０及び２０）を同時に使用することができる。「複数のセルを同時に使用する」とは、実際に複数のセルで信号を同時に受信又は送信することに限定はされず、複数のセルの両方において信号を受信又は送信することが可能な状態になっているが実際にはいずれかのセルで信号を受信又は送信すること、複数のセルそれぞれで種類の異なる信号を受信又は送信すること、或いは、複数のセルそれぞれを信号の受信又は送信のいずれかに使用すること、などを含む。異なる無線局によって運用される複数のセルのキャリアアグリゲーションという観点から、異なる無線局によって運用される複数のセルを使用する機能は、無線局間キャリアアグリゲーションと呼ぶことができる。また、上述のような複数のセルの同時使用の観点から、異なる無線局によって運用される複数のセルを使用する機能は、デュアル接続（Dual Connection）、デュアル接続性（Dual Connectivity）、マルチ接続（Multi Connection）、マルチ接続性（Multi Connectivity）、などと呼ぶこともできる。
【００３２】
無線端末４は、無線局に対して無線局間キャリアアグリゲーションが可能であることを示す端末能力報告を行ってもよいし、無線端末４のカテゴリ又は装置リリース番号などにより無線局間キャリアアグリゲーションが可能であることを暗に示していても良い。また、上述のように、無線局間キャリアアグリゲーションの能力は、デュアル接続の能力、又はマルチ接続の能力、と呼ぶこともできる。
【００３３】
図１は、ヘテロジーニアス・ネットワーク（Heterogeneous Network:HetNet）環境を示している。具体的に述べると、図１に示された第１のセル１０は、第２のセル２０及び第３のセル３０に比べて広いカバレッジを有する。また、図１は、第１のセル１０内に第２のセル２０及び第３のセル３０が配置された階層化セル構成を示している。しかしながら、図１に示されたセル構成は一例に過ぎない。例えば、セル１０、２０、及び３０は、同程度のカバレッジを有してもよい。言い換えると、本実施形態に係る無線通信システムは、ホモジーニアス・ネットワーク（Homogeneous Network）環境に適用されてもよい。
【００３４】
本実施形態に係る無線通信システムは、無線端末４がセル１０及び２０の無線局間キャリアアグリゲーションの実行中にSCellがセル２０からセル３０に変更される場合に、SCell（つまり、セル２０）において提供されていたデータ通信（データ通信サービス、通信サービス、又は単にサービスとも呼ぶことができる）の続きをSCell変更後にも継続可能にするために、以下のように動作する。すなわち、無線端末４及び無線ネットワーク６は、無線端末４が第１のセル１０をPCellとして使用し且つ第２のセル２０をSCellとして使用している間に、第２のセル２０における無線端末４に関する通信状況情報（communication status information）を保持しつつSCellを第２のセル２０から第３のセル３０に変更する変更手順を実行する。無線端末４及び無線ネットワーク６は、SCell変更手順が行われている間、セル２０における通信状況情報を解放すること無く保持しておけばよい。ここで、データ通信の続きとは、厳密な意味での続きであっても良いし、当該データ通信で実現していたサービスの継続を意味してもよい。また、あるパケットがセル２０にて送信に失敗していた場合、データ通信の続きは、当該パケットをセル２０又は３０にて再送信することを意味してもよい。
【００３５】
より具体的に述べると、無線端末４は、セル１０をPCellとしセル２０をSCellとする無線局間キャリアアグリゲーションを実行している間に、SCellである第２のセル２０の通信状況情報を保持しつつ、無線端末４のSCellを第２のセル２０から第３のセル３０に変更する。そして、無線端末４は、SCellを第３のセル３０へと変更した後に、保持している通信状況情報を基に通信を再開する。つまり、無線端末４は、SCellとしての第２のセル２０で提供されていたデータ通信（データ通信サービス、通信サービス、又は単にサービスとも呼ぶことができる）の続きを第３のセル３０において再開する。
【００３６】
無線ネットワーク６は、セル１０をPCellとしセル２０をSCellとする無線局間キャリアアグリゲーションを無線端末４との間で実行している間に、第２のセル２０における無線端末４に関する通信状況情報を保持しつつ、無線端末４のSCellを第２のセル２０から第３のセル３０へ変更する。そして、無線ネットワーク６は、無線端末４のSCellを第３のセル３０へと変更した後に、保持している通信状況情報を基に通信を再開する。つまり、無線ネットワーク６は、SCellとしての第２のセル２０で提供されていたデータ通信（データ通信サービス、通信サービス、又は単にサービスとも呼ぶことができる）の続きを第３のセル３０において再開する。
【００３７】
これにより、本実施形態に係る無線通信システムは、無線端末４が無線局１及び２のセル１０及び２０をPCell及びSCellとして使用してデータ通信（データ通信サービス、通信サービス、又は単にサービスとも呼ぶことができる）を行なっている間にSCellを無線局３のセル３０に変更する場合に、SCell変更後にもセル２０で行なっていたデータ通信の続きを継続することができる。
【００３８】
なお、以上に述べた説明において、無線端末４のSCell変更手順を実行している間、無線端末４及び無線ネットワーク６は、PCellにおけるデータ通信（データ通信サービス、通信サービス、又は単にサービスとも呼ぶことができる）を継続してもよいし、中断してもよい。
【００３９】
また、以上に述べた説明において、第３の無線局３は、第１の無線局１と同じでもよい。言い換えると、第１のセル１０及び第３のセル３０は、１つの無線局１によって提供される異なるセル又はセクタであってもよい。
【００４０】
無線端末４及び無線ネットワーク６において保持されるSCell（セル２０）の通信状況情報は、変更前のSCell（つまり、セル２０）において行われていたデータ通信（データ通信サービス、通信サービス、又は単にサービスとも呼ぶことができる）を変更後のSCell（つまり、セル３０）において再開するために必要な情報とすればよい。したがって、SCellの通信状況情報は、例えば、通常のハンドオーバの際にソースセルの無線局からターゲットセルの無線局に送られるソースセルの通信状況情報に類似にした内容を有していればよい。SCellの通信状況情報は、SCellにおける無線端末４の通信の状況、又はサービスの状況（service status）を示す情報とも言える。SCellにおける通信状況情報は、サービス毎の通信状況でもよいし、複数のサービスの通信状況でもよい。通信状況情報は、例えば、以下に列挙する情報要素のうち少なくとも１つを含んでもよい。
・ユーザーデータ（User Plane: U-plane）の送信状況又は受信状況
・サービス情報
・ベアラ情報
・無線リソース設定情報
ここで、ベアラは、例えば、シグナリング無線ベアラ（Signaling Radio Bearer: SRB）、データ無線ベアラ（Data Radio Bearer: DRB）、又はネットワークベアラ（S1 bearer, E-RAB, or EPS bearer）である。
【００４１】
無線端末４は、以下のようにして、SCell変更時に変更前のSCellの通信状況情報を保持してもよい。例えば、無線端末４は、無線端末４に対して設定されている第２のセル２０のベアラ（SCellベアラ）を解放し、通信状況情報を保持してもよい。また、無線端末４は、第２のセル２０のベアラ（SCellベアラ）を解放するが、第２のセルでのベアラの設定情報と通信状況情報を保持してもよい。SCellベアラを解放する場合、無線端末４は、SCelベアラに関する情報を、あたかも無線端末４に対して設定されている第１のセル１０のベアラ（PCellベアラ）として扱ってもよい。例えば、無線端末４は、無線ベアラの設定を除くベアラ設定情報を、PCellベアラと同様に扱ってもよい。つまり、SCellベアラ設定情報の保持・更新・リセット・再設定などの処理は、Pcellベアラ設定情報と同様に実行されてもよい。尚、PCellベアラ（又はSCellベアラ）は、例えばPCell（又はSCell）に設定されている無線ベアラ又はネットワークベアラが考えられるが、これに限定はされない。
【００４２】
一方、無線ネットワーク６も、無線端末４と同様の手法でSCellの通信状況情報を保持してもよい。すなわち、無線ネットワーク６は、無線端末４に対して設定されている第２のセル２０のベアラ（SCellベアラ）を解放し、通信状況情報を保持してもよい。また、無線ネットワーク６は、第２のセル２０のベアラ（SCellベアラ）を解放するが、第２のセルでのベアラの設定情報と通信状況情報を保持してもよい。SCellベアラを解放する場合、無線ネットワーク６は、解放されたSCellベアラを第１のセル１０のベアラ（PCellベアラ）として再設定し、これにより、解放されたSCellベアラをPCellベアラとして扱ってもよい。例えば、無線ネットワーク６は、SCellベアラのパス（経路）をPCellに切り替えることでSCellベアラをPCellベアラに変更し、当該SCellベアラの設定情報をPCellベアラに引き継いでもよい。つまり、SCellベアラに関するベアラ設定情報は、PCellベアラに引き継がれる。このとき、無線ベアラ設定を引き継がれる情報から除くようにしてもよい。
【００４３】
以下、上述のデータ通信を広義のサービスとして説明する。尚、ここで言うサービスとは、無線ネットワークの観点からすると、下りリンクのデータや制御系シグナリングの送信、上りリンクのデータや制御系シグナリングの受信、下りリンク及び上りリンクの音声呼の送信及び受信、などに対応する。同様に、サービスは、無線端末の観点からの下りリンクのデータや制御系シグナリングの受信、上りリンクのデータや制御系シグナリングの送信、下りリンク及び上りリンクの音声呼の受信及び送信、などに対応する。以下、基本的に下りリンクのサービスを例に本発明の実施形態を説明するが、上りリンクのサービスに対しても本発明が適用できることは言うまでもない。
【００４４】
続いて以下では、本実施形態に係る無線局１〜３、並びに無線端末４の構成例について説明する。図２は、第１の無線局１の構成例を示すブロック図である。無線通信部１１は、無線端末４から送信された上りリンク信号（uplink signal）をアンテナを介して受信する。受信データ処理部１３は、受信された上りリンク信号を復元する。得られた受信データは、通信部１４を経由して他のネットワークノード、例えばコアネットワーク５のデータ中継装置若しくはモビリティ管理装置、又は他の無線局に転送される。例えば、無線端末４から受信された上りリンクユーザーデータは、コアネットワーク５のデータ中継装置に転送される。また、無線端末４から受信された制御データのうち非アクセス層（Non-Access Stratum（NAS））の制御データは、コアネットワーク５のモビリティ管理装置に転送される。さらに、受信データ処理部１３は、無線局２又は３に送信される制御データを通信制御部１５から受信し、これを通信部１４を経由して無線局２又は３に送信する。
【００４５】
送信データ処理部１２は、無線端末４宛てユーザーデータを通信部１４から取得し、誤り訂正符号化、レートマッチング、インタリービング等を行なってトランスポートチャネルを生成する。さらに、送信データ処理部１２は、トランスポートチャネルのデータ系列に制御情報を付加して送信シンボル列を生成する。無線通信部１１は、送信シンボル列に基づく搬送波変調、周波数変換、信号増幅等の各処理を行って下りリンク信号（downlink signal）を生成し、これを無線端末４に送信する。さらに、送信データ処理部１２は、無線端末４に送信される制御データを通信制御部１５から受信し、これを無線通信部１１を経由して無線端末４に送信する。
【００４６】
通信制御部１５は、第１のセル１０をPCellとして使用し且つ第２のセル２０をSCellとして使用する無線局間キャリアアグリゲーションを制御する。さらに、通信制御部１５は、SCell（第２のセル２０）における無線端末４に関する通信状況情報を無線ネットワーク６及び無線端末４において保持しつつ無線端末４のSCellを第２のセル２０から第３のセル３０に変更するための変更手順を実行する。通信制御部１５は、SCellの変更手順を、無線局２、無線局３、及び無線端末４と連携して行う。
【００４７】
一例において、通信制御部１５は、SCell（第２のセル２０）における無線端末４に関する通信状況情報を第２の無線局２から受信し、この通信状況情報を第３の無線局３に送信してもよい。また、通信制御部１５は、コアネットワーク５又は第２の無線局２に対して、セル２０のベアラ（SCellベアラ）をセル１０のベアラ（PCellベアラ）に切り替えるよう要求してもよい。通信制御部１５により行われる制御及びシグナリングの詳細については後述する。
【００４８】
図３は、第２の無線局２の構成例を示すブロック図である。図３に示された無線通信部２１、送信データ処理部２２、受信データ処理部２３、及び通信部２４の機能及び動作は、図２に示された無線局１の対応する要素、すなわち無線通信部１１、送信データ処理部１２、受信データ処理部１３、及び通信部１４と同様である。
【００４９】
無線局２の通信制御部２５は、第１のセル１０をPCellとして使用し且つ第２のセル２０をSCellとして使用する無線局間キャリアアグリゲーションを制御する。さらに、通信制御部２５は、SCell（第２のセル２０）における無線端末４に関する通信状況情報を無線ネットワーク６及び無線端末４において保持しつつ無線端末４のSCellを第２のセル２０から第３のセル３０に変更するための変更手順を実行する。通信制御部２５は、SCellの変更手順を、無線局１、無線局３、及び無線端末４と連携して行う。
【００５０】
一例において、通信制御部２５は、SCell（第２のセル２０）における無線端末４に関する通信状況情報を第１の無線局１、第３の無線局３、又はコアネットワーク５に送信するよう動作してもよい。通信制御部２５は、SCell（第２のセル２０）における無線端末４へのサービス提供を中止するとともに、サービス中止後も第２のセル２０における無線端末４に関する通信状況情報を解放（削除）すること無く保持しておき、SCellが第３のセル３０に変更された後に当該通信状況情報を第１の無線局１、第３の無線局３、又はコアネットワーク５に送信してもよい。また、通信制御部２５は、コアネットワーク５又は第１の無線局１に対して、セル２０のベアラ（SCellベアラ、又はセカンダリベアラと呼ぶ）をセル１０のベアラ（PCellベアラ、又はプライマリベアラと呼ぶ）に切り替えるよう要求してもよい。通信制御部２５により行われる制御及びシグナリングの詳細については後述する。
【００５１】
図４は、第３の無線局３の構成例を示すブロック図である。図４に示された無線通信部３１、送信データ処理部３２、受信データ処理部３３、及び通信部３４の機能及び動作は、図２に示された無線局１の対応する要素、すなわち無線通信部１１、送信データ処理部１２、受信データ処理部１３、及び通信部１４と同様である。
【００５２】
無線局３の通信制御部３５は、SCell（第２のセル２０）における無線端末４に関する通信状況情報を無線ネットワーク６及び無線端末４において保持しつつ無線端末４のSCellを第２のセル２０から第３のセル３０に変更するための変更手順を実行する。通信制御部３５は、SCellの変更手順を、無線局１、無線局２、及び無線端末４と連携して行う。
【００５３】
一例において、通信制御部３５は、SCell（第２のセル２０）における無線端末４に関する通信状況情報を第１の無線局１、第２の無線局、又はコアネットワーク５から受信してもよい。通信制御部３５は、SCellにおける通信状況情報に基づき、変更前のSCell（第２のセル２０）で提供されていたサービスを変更後のSCell（第３のセル３０）において提供するよう制御してもよい。通信制御部３５により行われる制御及びシグナリングの詳細については後述する。
【００５４】
図５は、無線端末４の構成例を示すブロック図である。無線通信部４１は、異なる無線局によって運用される複数のセルのキャリアアグリゲーションをサポートし、ユーザーデータの送信又は受信のために複数のセル（例えば、セル１０及び２０）を同時に使用することができる。具体的には、無線通信部４１は、アンテナを介して、無線局１、無線局２、又は無線局３から下りリンク信号を受信する。受信データ処理部４２は受信された下りリンク信号から受信データを復元してデータ制御部４３に送る。データ制御部４３は、受信データをその目的に応じて利用する。また、送信データ処理部４４及び無線通信部４１は、データ制御部４３から供給される送信データを用いて上りリンク信号を生成し、無線局１、無線局２、又は無線局３に向けて送信する。
【００５５】
無線端末４の通信制御部４５は、第１のセル１０をPCellとして使用し且つ第２のセル２０をSCellとして使用する無線局間キャリアアグリゲーションを制御する。さらに、通信制御部４５は、SCell（第２のセル２０）における無線端末４に関する通信状況情報を無線ネットワーク６及び無線端末４において保持しつつ無線端末４のSCellを第２のセル２０から第３のセル３０に変更するための変更手順を実行する。通信制御部４５は、SCellの変更手順を、無線局１、無線局２、及び無線局３と連携して行う。
【００５６】
一例において、通信制御部４５は、SCell（第２のセル２０）における無線端末４に関する通信状況情報を保持しつつSCellを第２のセル２０から第３のセル３０に変更してもよい。具体的には、通信制御部４５は、SCellの変更手順が行われているあいだSCell（第２のセル２０）における無線端末４に関する通信状況情報を解放すること無く保持してもよい。そして、通信制御部４５は、変更前のSCell（第２のセル２０）で提供されていたサービスを、変更後のSCell（第３のセル３０）において再開してもよい。通信制御部４５により行われる制御及びシグナリングの詳細については後述する。
【００５７】
続いて以下では、本実施形態に係る無線通信システムにおける通信制御方法の手順例１及び２について説明する。
【００５８】
（手順例１）
手順例１では、無線端末４及び無線ネットワーク６は、無線端末４のSCellを第２のセル２０から第３のセル３０に変更する間、変更前のSCell（第２のセル２０）にける無線端末４に関する通信状況情報を保持しておくことにより、変更前のSCell（第２のセル２０）で提供されていた通信を（サービス）をSCell変更後のSCell（第３のセル３０）において再開する。
【００５９】
図６は、手順例１における無線端末４の動作の一例を示すフローチャートである。ステップＳ１０１では、無線端末４（通信制御部４５）は、第３のセル３０へのSCell変更の指示を無線ネットワーク６から受信する。ステップＳ１０２では、無線端末４（通信制御部４５）は、セル２０での通信状況情報を保持しつつ、SCellをセル３０に変更する変更手順を開始する。SCell変更が完了した場合（ステップＳ１０３でＹＥＳ）、無線端末４（通信制御部４５）は、保持しておいたセル２０での通信状況情報に基づいて、SCellの通信をセル３０において再開する。再開される通信は、変更前のSCell（セル２０）で行われていた通信を含む。
【００６０】
図７は、手順例１における無線ネットワーク６の動作の一例を示すフローチャートである。ステップＳ２０１では、無線ネットワーク６（例えば、無線局１の通信制御部１５）は、第３のセル３０へのSCell変更の指示を無線端末４に送信する。ステップＳ２０２では、無線ネットワーク６は（例えは、無線局１の通信制御部１５、無線局２の通信制御部２５、及び無線局３の通信制御部３５）は、セル２０での無線端末４に関する通信制御情報を保持しつつ、無線端末４のSCellをセル３０に変更する変更手順を開始する。SCell変更が完了した場合（ステップＳ２０３でＹＥＳ）、無線ネットワーク６（通信制御部３５）は、保持されていたセル２０での無線端末４の通信状況情報に基づいて、無線端末４の通信を変更後のSell（セル３０）において再開する。再開される通信は、変更前のSCell（セル２０）で行われていた通信を含む。
【００６１】
図８は、手順例１の全体を示すシーケンス図の一例である。ステップＳ３０１及びＳ３０２では、無線ネットワーク６及び無線端末４は、第１のセル１０をPCellとして使用し且つ第２のセル２０をSCellとして使用して通信（無線局間キャリアアグリゲーション）を行なっている。ステップＳ３０３では、無線ネットワーク６は、セル１０からセル３０へのSCell変更の指示を無線端末４に送信する。ステップＳ３０４では、無線端末４は、セル２０での通信状況情報を保持しつつセル３０へのSCell変更を開始する。無線ネットワーク６も、無線端末４のSCell変更の間、セル２０での無線端末４の通信状況情報を保持する（ステップＳ３０５）。ステップＳ３０６では、無線ネットワーク６及び無線端末４は、セル２０からセル３０への無線端末４のSCell変更を完了する。ステップＳ３０７では、無線ネットワーク６及び無線端末４は、保持しておいたセル２０での無線端末４の通信状況情報に基づいて、無線端末４の通信をセル３０において再開する。再開される通信は、変更前のSCell（セル２０）で行われていた通信を含む。
【００６２】
なお、上述した手順例１において、第１の無線局１（通信制御部１５）は、第２のセル２０の通信状況情報を保持すること（又は、通信状況情報を保持しつつSCell変更を実行すること）を無線端末４に明示的に通知してもよい。この通知は、第２のセル２０から第３のセル３０へのPCell変更の指示メッセージと共に送信されてもよいし、PCell変更の指示とは別メッセージで送信されてもよい。また、第１の無線局１（通信制御部１５）は、セル２０のベアラ（SCellベアラ）を解放すること、又はSCellベアラを解放するがそのベアラ設定情報を維持することを無線端末４に通知してもよい。
【００６３】
（手順例２）
手順例２は、上述した手順例１のより具体的な例に相当する。図９は、手順例２における無線端末４の動作の一例を示すフローチャートである。ステップＳ４０１では、無線端末４（通信制御部４５）は、第３のセル３０へのSCell変更の指示を第１の無線局１から第１のセル１０において受信する。ステップＳ４０２では、無線端末４（通信制御部４５）は、SCell（第２のセル２０）で提供されているデータ通信（サービスＢ）の通信状況情報を保持する。ステップＳ４０３では、無線端末４（通信制御部４５）は、第２のセル２０から第３のセル３０へのSCell変更を開始する。SCell変更が完了した場合（ステップＳ４０４でＹＥＳ）、無線端末４（通信制御部４５）は、保持しておいたセル２０での通信状況情報に基づいて、変更前のSCellで行なっていたデータ通信（サービスＢ）の続きをセル３０において行う。つまり、無線端末４（通信制御部４５）は、サービスＢを再開する。
【００６４】
図１０は、手順例２における第１の無線局１の動作の一例を示すフローチャートである。ステップＳ５０１では、無線局１（通信制御部１５）は、無線端末４に対するサービスＢの中止の指示と、無線端末４に関する通信状況情報の報告の指示を無線局２に送信する。ここで、当該サービス中止の指示と、通信状況情報の報告の指示は、同じメッセージに含んで送信されてもよいし、別々のメッセージで送信されてもよい。ステップＳ５０２では、無線局１（通信制御部１５）は、第２のセル２０における無線端末４の通信状況情報の報告を無線局２から受信する。ステップＳ５０３では、無線局１（通信制御部１５）は、第３のセル３０へのSCell変更指示を無線端末４に送信する。ステップＳ５０４では、無線局１（通信制御部１５）は、SCell変更および第３のセルの使用準備が完了したかを判定する。SCell変更および第３のセルの使用準備が完了した場合（ステップＳ５０４でＹＥＳ）、無線局１（通信制御部１５）は、第２のセル２０における無線端末４の通信状況情報を第３の無線局３に送信する（ステップＳ５０５）。
【００６５】
なお、図１０のステップ５０１において、第２の無線局へのサービスＢの中止の指示は、第２のセルにおける通信状況情報の報告指示と同じメッセージであってもよいし、別のメッセージであってもよい。
【００６６】
図１０のステップＳ５０３において、第３の無線局３へのSCell変更の指示は、第３のセル３０の設定情報（例えば、無線リソース設定情報）を含んでもよい。第３のセル３０の設定情報は、SCellとしての第２のセルの設定情報と同一内容であってもよい。第３のセル３０の設定情報は、第１の無線局１において予め第３の無線局３から取得されてもよい。
【００６７】
図１０のステップＳ５０４において、SCellの変更完了は、SCell変更の指示に対する肯定応答（ACK）を第１の無線局１において無線端末４から受信したことにより判定されてもよい。SCellの変更完了は、SCell変更の完了を示すメッセージを第１の無線局１において無線端末４から受信したことにより判定されてもよい。
【００６８】
図１０のステップＳ５０５に示された第２のセル２０の通信状況情報の第３の無線局３への送信は、SCell変更の完了前（つまり、図１０のステップＳ５０４以前）に行われてもよい。
【００６９】
第２のセル２０の通信状況情報の第３の無線局３への送信（ステップＳ５０５）は、第３のセル３０を無線端末４のSCellとして使用することの指示（又は要求）と兼用されてもよい。しかしながら、第３のセル３０を無線端末４のSCellとして使用することの指示は、第２のセル２０の通信状況情報の送信とは別メッセージであってもよい。
【００７０】
図１１は、手順例２における第２の無線局２の動作の一例を示すフローチャートである。ステップＳ６０１では、無線局２（通信制御部２５）は、対象無線端末（つまり、無線端末４）に対するサービス中止の指示と、無線端末４に関する通信状況情報の報告の指示を無線局１から受信する。ステップＳ６０２では、無線局２（通信制御部２５）は、第２のセル２０における無線端末４へのサービス提供を中止する。ステップＳ６０３では、無線局２（通信制御部２５）は、第２のセル２０における無線端末４の通信状況情報を無線局１に送信する。
【００７１】
図１２は、手順例２における第３の無線局３の動作の一例を示すフローチャートである。ステップＳ７０１では、無線局３（通信制御部３５）は、対象無線端末（つまり、無線端末４）のために第３のセル３０をSCellとして使用する準備を第１の無線局１との間で完了する。ステップＳ７０２では、無線局３（通信制御部３５）は、セル２０における無線端末４の通信状況情報を無線局１から受信する。ステップＳ７０３では、無線局３（通信制御部３５）は、セル２０における無線端末４の通信状況情報に基づいて、変更前のSCell（セル２０）で無線端末４のために行われていたサービスＢを変更後の第３のセル３０において再開する。
【００７２】
図１３は、手順例２の全体を示すシーケンス図の一例である。ステップＳ８０１では、無線局１及び無線端末４は、第１のセル１０をPCellとして使用して通信（サービスＡ）を行なっている。ステップＳ８０２では、無線局２及び無線端末４は、第２のセル２０をSCellとして使用して通信（サービスＢ）を行なっている。ステップＳ８０３では、無線局１は、サービスＢの中止指示および通信状況情報の報告指示を無線局２に送信する。ステップＳ８０４では、無線局２は、サービス中止指示に応答して、SCell（第２のセル２０）における無線端末４へのサービスＢを中止する。ステップＳ８０５では、無線局２は、通信状況情報の報告指示に応答して、第２のセル２０における無線端末４の通信状況情報を無線局１に報告する。
【００７３】
ステップＳ８０６では、無線局１は、SCell変更の指示を無線端末４に送信する。ステップＳ８０７では、無線端末４は、第２のセル２０でのサービスＢを中止し、第２のセル２０における通信状況情報を保持し、第３のセル３０へのSCell変更手順を開始する。ステップＳ８０８では、無線局１及び無線局３は、第３のセル３０を使用する準備を完了する。ステップＳ８０９では、無線局１及び無線端末４は、第２のセル２０から第３のセル３０へのSCell変更を完了する。ステップＳ８１０では、無線局１は、第２のセル２０における無線端末４の通信状況情報を無線局３に送信する。ステップＳ８１１では、無線局３及び無線端末４は、変更前のSCell（セル２０）で行なっていた通信（サービスＢ）をセル３０において行う。
【００７４】
（手順例２の変形）
上述の手順例２では、第２のセル２０における無線端末４の通信状況情報を第２の無線局２から第３の無線局３に第１の無線局１を経由して送信する例を示した。しかしながら、第２の無線局２は、第１の無線局１を経由せずに直接的に、通信状況情報を第３の無線局３へ送信してもよい。一例では、第１の無線局１は、第２のセル２０における無線端末４の通信状況情報を第３の無線局３に送信するように第２の無線局２に要求してもよい。この場合、第２の無線局２は、第１の無線局１からの要求に応じて、当該通信状況情報を第３の無線局３に送信すればよい。また他の例では、第３の無線局３は、第２のセル２０における無線端末４の通信状況情報の送信を第２の無線局２に要求してもよい。この場合、第２の無線局２は、第３の無線局３からの要求に応じて、当該通信状況情報を第３の無線局３に送信すればよい。
【００７５】
上述した手順例１及び手順例２において無線端末４が行う通信（サービス）は、データ通信（User plane: U-plane）でもよいし、制御系シグナリング（Control plane: C-plane）であってもよい。
【００７６】
上述した手順例１及び手順例２において、無線局間でのメッセージ又は情報のやり取りは、コアネットワーク５経由で行われてもよい。
【００７７】
上述した手順例１及び手順例２において、SCell変更手順を実行している間、無線端末４及び無線ネットワーク６は、PCellにおける通信（サービスＡ）を継続してもよいし、中断してもよい。
【００７８】
上述した手順例１及び手順例２において、第３のセルへのSCellの変更の指示は、第２のセル２０から第３のセル３０にSCellを変更する指示でもよいし、これに代えて、第２のセル２０の削除（又は解放）と第３のセル３０の追加（又は設定）の指示でもよい。
【００７９】
上述した手順例２において、サービスＡとサービスＢは同じサービスであってもよい。
【００８０】
上述した手順例２において、PCell（セル１０）において無線端末４が実行するサービスは複数であってもよい。同様に、変更前のSCell（セル２０）において無線端末４が実行するサービスは複数であってもよい。例えば、無線端末４は、サービスＢ及びＣを変更前のSCell（セル２０）において実行してもよい。無線端末４は、変更前のSCell（セル２０）において実行しているサービスの全て（例えば、サービスＢ及びＣの両方）を変更後のSCell（セル２０）において実行してもよい。あるいは、無線端末４は、変更前のSCell（セル２０）において実行しているサービスの一部のみ（例えば、サービスＢのみ）を変更後のSCell（セル２０）において実行してもよい。
【００８１】
上述した手順例１及び手順例２の適用先としては、第１の無線局１が比較的カバレッジの大きいセルを運用（管理）する無線局であり、第２の無線局２及び第３の無線局３がカバレッジの小さいセルを運用（管理）する低電力無線局（Low Power Node: LPN）である場合が考えられるが、これに限定はされない。LPNとしては、例えば無線局１と同様の機能を持つ無線局や、無線局１に比べ機能が少ない新しい種類のネットワークノード（New Node）である場合が考えられる。また、第２のセル２０及び第３のセル３０は、従来とは異なる新しい種類のキャリア（New Carrier Type）を構成要素とする従来とは異なる新しい種類のセル（New Cell Type）であってもよい。
【００８２】
＜第２の実施形態＞
本実施形態では、上述した第１の実施形態を3GPP LTEシステムに適用する例について説明する。本実施形態に係る無線通信システムの構成例は、図１と同様とすればよい。ただし、無線局１〜３はeNBに相当し、無線端末４はUEに相当し、コアネットワーク５はEPC(Evolved Packet Core)に相当する。また、eNB１〜eNB３は、無線アクセスネットワーク（Radio Access Network: RAN）に相当する。無線局間（つまり、eNB間）の情報の送受信は、直接インタフェースであるX2インタフェースを用いても良いし、コアネットワークを経由するインタフェースであるS1インタフェースを用いても良いし、或いは、新たに規定されるインタフェース（例えば、X3インタフェース）でも良い。無線端末（UE）４は、異なる無線局（eNB）によって運用される複数のセルのキャリアアグリゲーション（Inter-eNB CA）をサポートする。なお、ここでの「Inter-eNB CA」とは、実際に異なるeNBのセルで信号を同時に受信又は送信することに限定はされず、異なるeNBのセルの両方において信号（例えば、ユーザーデータ又は制御情報）を受信又は送信することが可能な状態になっているが実際にはいずれかのeNBのセルで信号を受信又は送信すること、異なるeNBのセルそれぞれで種類の異なる信号を受信又は送信すること、或いは、異なるeNBのセルそれぞれを信号の受信又は送信のいずれかに使用すること、などを含む。以下では、無線局１〜３をeNB１〜２、無線端末４をUE４とし、コアネットワーク５をEPC５として説明する。
【００８３】
第１の実施形態で述べたのと同様に、通信状況情報は、例えば、以下に列挙する情報要素のうち少なくとも１つを含んでもよい。
・ユーザーデータ（User Plane: U-plane）の送信状況又は受信状況
・サービス情報
・ベアラ情報
・無線リソース設定情報
【００８４】
ユーザーデータの送信状況又は受信状況は、例えばPDCP (Packet Data Convergence Protocol) SN (Sequence Number)やHFN (Hyper Frame Number)のステータスを示す情報などを転送するSN Status Transferメッセージの内容であってもよい。SN Status Transferメッセージは、E-RAB ID、Receive Status Of UL PDCP SDUs、UL COUNT Value (PDCP SN + HFN)、及びDL COUNT Value (PDCP SN + HFN)等を含む。また、ユーザーデータの送信状況又は受信状況は、RLC status (e.g. RLC STATUS PDU)であってもよい。
【００８５】
サービス情報は、例えば、QoSの情報、又は QCI (QoS Class Indicator)の値を含んでもよい。
【００８６】
ベアラ情報は、シグナリング無線ベアラ（Signaling Radio Bearer: SRB）、データ無線ベアラ（Data Radio Bearer: DRB）、又はネットワークベアラ（S1 bearer, E-RAB, or EPS bearer）に関する情報である。例えば、ベアラ情報は、ベアラのID (e.g. drb-Identity、eps-BearerIdentity、E-RAB ID)、端末識別情報（e.g. eNB UE S1AP ID, MME UE S1AP ID, or TMSI）、又はネットワーク識別情報（e.g. GUMMEI, UL GTP Tunnel Endpoint, or DL GTP Tunnel Endpoint）を含んでもよい。
【００８７】
無線リソース設定情報は、例えば、共通無線リソース設定情報（Radio Resource Config Common）、又は個別無線リソース設定情報（Radio Resource Config Dedicated）を含んでもよい。
【００８８】
続いて以下では、本実施形態に係る無線通信システムにおける通信制御方法の手順例３〜５について説明する。
【００８９】
（手順例３）
手順例３は、第１の実施形態で説明した手順例２に対応する。すなわち、UE４がeNB１のセル１０（PCell）でサービスＡを受けており且つeNB２のセル２０（SCell）でサービスＢを受けている間にSCellをeNB３のセル３０に変更する際に、UE４及び無線ネットワーク６（つまり、RAN及びEPC）は、セル２０におけるUE４の通信状況情報を保持しつつSCell変更を実行する。そして、UE４及び無線ネットワーク６は、変更後のSCell（セル３０）においてサービスＢを行う。つまり、UE４及び無線ネットワーク６は、サービスＢを再開する。
【００９０】
図１４は、手順例３の全体を示すシーケンス図の一例である。なお、図１４において、第１のセル１０はCELL1と表示され、第２のセル２０はCELL2と表示され、第３のセル３０はCELL3と表示されている。ステップＳ９０１では、eNB１及びUE４は、第１のセル１０をPCellとして使用して通信（サービスＡ）を行なっている。ステップＳ９０２では、eNB２及びUE４は、第２のセル２０をSCellとして使用して通信（サービスＢ）を行なっている。ステップＳ９０３では、eNB１は、無線端末４のSCellを第３のセル３０に変更することを決定し、第２のセル２０におけるサービスＢの中止指示および通信状況情報の報告指示をeNB２に送信する（Service Abort Request and Communication Status Request）。ステップＳ９０４では、eNB２は、セル２０でのサービスＢを中止し、セル２０におけるUE４の通信状況情報（Communication Status Information）をeNB１に送信する。ステップＳ９０５では、eNB１は、SCell変更の指示（RRC Connection Reconfiguration）をUE４に送信する。SCell変更の指示（RRC Connection Reconfiguration）は、例えばセル２０の設定解除（de-configuration）及びセル３０の設定（configuration）を含む。
【００９１】
ステップＳ９０５〜Ｓ９０８では、UE４は、セル２０における通信状況情報を保持しつつ、セル２０のベアラを解放し（Release Bearer in Cell2）、セル３０においてベアラを再設定する（Re-establish bearer in Cell3）。ステップＳ９０９では、eNB１は、SCell準備の要求（SCell preparation request）をeNB３に送信する。ステップＳ９１０では、eNB３は、無線端末４にSCellを提供するためにセル３０を準備し、SCell準備の要求に対する応答（SCell preparation request ACK）をeNB１に送信する。ステップＳ９１１では、eNB１は、セル２０におけるUE４の通信状況情報をeNB３に送信する。
【００９２】
ステップＳ９１２では、eNB１及びUE４は、SCell変更を完了する（RRC Connection Reconfiguration Complete）。ステップＳ９１３では、eNB１は、第３のセル３０をSCellとして活性化するようUE４に指示する（Cell3 activation）。ステップＳ９１４では、eNB３及びUE４は、変更後のSCell（セル３０）においてサービスＢを再開する。
【００９３】
なお、図１４のステップＳ９０５では、eNB１からUE４へのSCell変更指示は、RRC Connection Reconfigurationメッセージを用いて、セル２０の設定解除（de-configuration）及びセル３０の設定（configuration）を指示することにより行われる。しかしながら、UE４へのSCell変更指示は、他の方法で行われてもよい。例えば、eNB１は、セル２０の削除（delete）とセル３０の追加（add）の指示をUE４に送信してもよい。
【００９４】
図１４のステップＳ９０５において、eNB１は、RRC Connection Reconfigurationメッセージと共に、又は別メッセージを用いて、セル２０における通信状況情報を保持すること（又は、通信状況情報を保持しつつSCellを変更すること）をUE４に明示的に通知してもよい。さらに、このとき、eNB１は、セル３０のベアラを解放することをUE４に通知してもよい。
【００９５】
図１４のステップＳ９０７におけるUE４によるSCell Bearerの解放（Release）は、例えば、無線リソース設定（e.g. Radio Resource Config Common, Radio Resource Config Dedicated）を解放することにより行われてもよい。また、SCell Bearerの解放（Release）は、セル２０において確立されているData Radio Bearer (DRB)若しくはSignaling Radio Bearer (SRB)又はこれら両方を解放することにより行われてもよい。
【００９６】
図１４のステップＳ９０８及びＳ９１４におけるサービスＢの再開（継続）は、セル２０に確立されていたベアラ（例えば、radio Bearer）に対応するPacket Data Convergence Protocol (PDCP) layer及びRadio Link Control (RLC) layerを再確立（re-establishment）することにより行われてもよい。したがって、ステップＳ９０８及びＳ９１４におけるサービスＢの再開は、ベアラ再確立（bearer re-establishment）、又はベアラ再設定（bearer re-configuration）と呼ぶこともできる。
【００９７】
eNB１とeNB２（e.g. LPN）の接続、又はeNB１とeNB３（e.g. LPN）の接続に使用されるインタフェースは、例えば、eNB間のX2インタフェースでもよいし、eNBとLPN間の新規インタフェース（例えば、X3インタフェース）でもよい。これに代えて、eNB１とeNB２のメッセージのやりとり、又はeNB１とeNB３のメッセージのやりとりは、EPCを介したS1インタフェースを用いて行われてもよい。
【００９８】
（手順例３の変形）
上述の手順例３では、第２のセル２０におけるUE４の通信状況情報をeNB２からeNB３にeNB１を経由して送信する例を示した。しかしながら、eNB２は、eNB１を経由せずに直接的に、通信状況情報をeNB３へ送信してもよい。一例では、eNB１は、第２のセル２０におけるUE４の通信状況情報をeNB３に送信するようにeNB２に要求してもよい。この場合、eNB２は、eNB１からの要求に応じて、当該通信状況情報をeNB３に送信すればよい。また他の例では、eNB３は、第２のセル２０におけるUE４の通信状況情報の送信をeNB２に要求してもよい。この場合、eNB２は、eNB３からの要求に応じて、当該通信状況情報をeNB３に送信すればよい。
【００９９】
（手順例４）
手順例４は、手順例３にEPC５の処理を追加したものである。図１５は、手順例４の全体を示すシーケンス図の一例である。図１５においても、セル１０、２０、３０は、CELL1、CELL2、CELL3と表示されている。図１５のステップＳ１００１〜Ｓ１００４の処理は、図１４のステップＳ９０１〜Ｓ９０４の処理と同様である。
【０１００】
図１５のステップＳ１００５では、eNB1は、eNB２のセル２０を経由する無線端末４のサービスＢのベアラをeNB１のセル１０を経由するベアラに変更するためのベアラ切り替え要求をEPC５（例えば、Mobility Management Entity (MME)）に送信する（Path switch of bearer (for service B) at eNB2/Cell2 to eNB1/Cell1）。なお、このベアラ切り替え要求は、eNB２によってEPC５に対して行われてもよい。
【０１０１】
図１５のステップＳ１００６〜Ｓ１０１０の処理は、図１４のステップＳ９０５〜Ｓ９１０の処理と同様である。図１５のステップＳ１０１１では、eNB１は、eNB１のセル１０を経由する無線端末４のサービスＢのベアラをeNB３のセル３０を経由するベアラに変更するためのベアラ切り替え要求をEPC５（例えば、MME）に送信する（Path switch of bearer (for service B) at eNB1/Cell1 to eNB3/Cell3）。図１５のステップＳ１０１２〜Ｓ１０１５の処理は、図１４のステップＳ９１１〜Ｓ９１４の処理と同様である。
【０１０２】
（手順例５）
手順例５も、手順例３にEPC５の処理を追加したものであるが、手順例４とは異なる動作を示す。すなわち、手順例５では、変更前のSCell（セル２０）に設定されている無線端末４のベアラをPCellベアラに変更することなく、変更前のSCell（セル２０）から変更後のSCell（セル３０）に直接的に変更する。
【０１０３】
図１６は、手順例５の全体を示すシーケンス図の一例である。図１６においても、セル１０、２０、３０は、CELL1、CELL2、CELL3と表示されている。図１６のステップＳ１１０１〜Ｓ１１０４の処理は、図１４のステップＳ９０１〜Ｓ９０４の処理と同様である。
【０１０４】
図１６のステップＳ１１０５は、図１４のステップＳ９０９及びＳ９１０に相当する。つまりステップＳ１１０５では、eNB１及びeNB３は、第３のセル３０を使用するための準備を行う。ステップＳ１１０６では、eNB1は、eNB２のセル２０を経由する無線端末４のサービスＢのベアラをeNB３のセル３０を経由するベアラに変更するためのベアラ切り替え要求をEPC５（例えば、Mobility Management Entity (MME)）に送信する（Path switch of bearer (for service B) at eNB2/Cell2 to eNB3/Cell3）。なお、このベアラ切り替え要求は、eNB２によってEPC５に対して行われてもよい。
【０１０５】
図１６のステップＳ１１０７〜Ｓ１１０９の処理は、図１４のステップＳ９０５〜Ｓ９０８の処理と同様である。さらに、図１６のステップＳ１１１０〜Ｓ１１１３の処理は、図１４のステップＳ９１１〜Ｓ９１４の処理と同様である。
【０１０６】
＜その他の実施形態＞
上述した第１及び第２の実施形態は、C/U Split構成、つまりカバレッジの広いマクロセルをUEの移動管理などの制御系の信号（C-Plane 信号）の送受信に用い、相対的に通信品質が良好なピコセルをユーザーデータなどのデータ系の信号（U-Plane 信号）の送受信に用いる構成、に適用されてもよい。例えば、eNB１のセル１０がC-Plane 信号の送受信に使用され、eNB２及び３のセル２０及び３０がU-Plane 信号の送信に使用されてもよい。
【０１０７】
また、上述した第１及び第２の実施形態は、セカンダリセル（SCell）を無線局（eNB）２の別の（例えば、周波数が異なる又は地理的配置が異なる）セルに変更する際にも適用可能である。また、第１及び第２の実施形態は、変更前又は変更後のSCellが複数存在する構成に適用されてもよい。
【０１０８】
また、上述した第１及び第２の実施形態は、PCellとSCellが異なるduplex modeを採用する構成に適用されてもよい。例えば、PCell及びSCellの一方がFDD（Frequency Division Duplex）を採用し、他方がTDD（Time Division Duplex）を採用してもよい。
【０１０９】
また、第１及び第２の実施形態で述べた無線局１（通信制御部１５）、無線局２（通信制御部２５）、無線局３（通信制御部３５）、及び無線端末４（通信制御部４５）による通信制御方法は、いずれもApplication Specific Integrated Circuit（ＡＳＩＣ）を含む半導体処理装置を用いて実現されてもよい。また、これらの通信制御方法は、少なくとも１つのプロセッサ（e.g. マイクロプロセッサ、Micro Processing Unit（ＭＰＵ）、Digital Signal Processor（ＤＳＰ））を含むコンピュータシステムにプログラムを実行させることによって行われてもよい。具体的には、フローチャート及びシーケンス図に示されたアルゴリズムをコンピュータシステムに行わせるための命令群を含む１又は複数のプログラムを作成し、当該プログラムをコンピュータに供給すればよい。
【０１１０】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１１】
また、第１及び第２の実施形態では、主にLTEシステムに関して説明を行った。しかしながら、これらの実施形態は、LTEシステム以外の無線通信システム、例えば、3GPP UMTS (Universal Mobile Telecommunications System)、3GPP2 CDMA2000システム（1xRTT, HRPD (High Rate Packet Data)）、GSM (Global System for Mobile Communications) システム、又はWiMAXシステム等に適用されてもよい。
【０１１２】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１１３】
この出願は、２０１２年１２月２８日に出願された日本出願特願２０１２−２８８２１２を基礎とする優先権を主張し、その開示の全てをここに取り込む。
【符号の説明】
【０１１４】
１  第１の無線局
２  第２の無線局
３  第３の無線局
４  無線端末
５  コアネットワーク
６  無線ネットワーク
１０  第１のセル
２０  第２のセル
３０  第３のセル
１５  通信制御部
２５  通信制御部
３５  通信制御部
４５  通信制御部
【図１】
2019097184.tif 000003
【図２】
2019097184.tif 000004
【図３】
2019097184.tif 000005
【図４】
2019097184.tif 000006
【図５】
2019097184.tif 000007
【図６】
2019097184.tif 000008
【図７】
2019097184.tif 000009
【図８】
2019097184.tif 000010
【図９】
2019097184.tif 000011
【図１０】
2019097184.tif 000012
【図１１】
2019097184.tif 000013
【図１２】
2019097184.tif 000014
【図１３】
2019097184.tif 000015
【図１４】
2019097184.tif 000016
【図１５】
2019097184.tif 000017
【図１６】
2019097184.tif 000018
【図１７】
2019097184.tif 000019